(57)【要約】【課題】  断熱層の厚さを極薄く形成すると共に、断熱層を簡単に形成することができるマンホール蓋及びマンホール蓋の断熱層形成方法を提供する。【解決手段】  マンホール蓋８のリブ１０及び外周フランジ１０Ａを含む裏面に断熱塗料を塗布して断熱層１１を形成した。この場合、熱伝導率が０．０３〜０．０５Ｗ／（ｍ・Ｋ）の断熱塗料を、スプレーガンを使用して、マンホール蓋８の裏面に塗布して乾燥させて、乾燥状態の厚さが０．６〜１．０ｍｍの断熱層１１を形成した。マンホール蓋８の裏面に断熱塗料を塗布して断熱層１１を形成するだけで、従来のマンホール蓋と同等の断熱機能を備えたマンホール蓋を簡単に構成することができる。【選択図】  図２
2005256541.tif 000002
【特許請求の範囲】
【請求項１】
マンホール蓋の裏面に、断熱塗料を塗布して断熱層を形成したことを特徴とするマンホール蓋。
【請求項２】
前記断熱塗料は、熱伝導率が０．０３〜０．０５Ｗ／（ｍ・Ｋ）であり、前記断熱層の厚さは、０．６〜１．０ｍｍであることを特徴とする請求項１に記載のマンホール蓋。
【請求項３】
マンホール蓋の裏面に、熱伝導率が０．０３〜０．０５Ｗ／（ｍ・Ｋ）の断熱塗料をスプレーガン、ローラー、または刷毛を用いて塗布した後乾燥させて、厚さが０．６〜１．０ｍｍの断熱層を形成することを特徴とするマンホール蓋の断熱層形成方法。
【発明の詳細な説明】
【技術分野】
【０００１】
本発明は、降雪地などで使用されるマンホール蓋及びマンホール蓋の断熱層形成方法に関する。
【背景技術】
【０００２】
従来の降雪地で使用されるマンホール蓋は、マンホール内に発生する温かい空気などによって温められるため、マンホール蓋上に堆積した雪が融けて、路面上に窪みが生じてしまうことがあった。そして、この窪みに走行中の車両のタイヤが落ち込むと、タイヤスリップを招き、ハンドルが取られてしまう原因となっていた。また、歩行者が路面上の窪みに足を取られて転倒する原因となっていた。
そこで、上記した原因を解消するために、特許文献１及び２には、マンホール蓋の裏面を発泡プラスチックなどの断熱材で被覆して、マンホール内の温かい空気の影響を遮断して、マンホール蓋上の雪が解けてしまうことを防止することが開示されている。
【特許文献１】特公平８‐１６３３４号公報
【特許文献２】登録実用新案第３０６３１０９号公報
【発明の開示】
【発明が解決しようとする課題】
【０００３】
しかしながら、特許文献１に記載されたマンホール蓋では、鋳物性の外蓋とＦＲＰ製の内蓋との間に硬質ポリウレタンフォームなどの発泡材を発泡充填して、断熱層を形成しているため、断熱層の形成工程が複雑となるだけでなく、断熱層が厚くなりすぎるという問題があった。また、特許文献２に記載されたマンホール蓋では、鉄蓋の裏面に下地処理面を形成した後に、ポリスチレン発泡ビーズをミキサーで混合しながら断熱層を形成する必要があるため、特許文献１と同様に、断熱層の形成工程が複雑となるだけでなく、断熱層が厚くなりすぎるという問題があった。
本発明は、断熱層の厚さを極薄く形成すると共に、断熱層を簡単に形成することができるマンホール蓋及びマンホール蓋の断熱層形成方法を提供することを目的とする。
【課題を解決するための手段】
【０００４】
上記課題を達成するために、請求項１に記載のマンホール蓋に係る発明は、マンホール蓋の裏面に断熱塗料を塗布して断熱層を形成したことを特徴とする。
また、上記課題を達成するために、請求項２に記載のマンホール蓋に係る発明は、請求項１の発明において、断熱塗料は熱伝導率が０．０３〜０．０５Ｗ／（ｍ・Ｋ）で、断熱層の厚さは０．６〜１．０ｍｍであることを特徴とする。
さらに、上記課題を達成するために、請求項３に記載のマンホール蓋の断熱層形成方法に係る発明は、マンホール蓋の裏面に、熱伝導率が０．０３〜０．０５Ｗ／（ｍ・Ｋ）の断熱塗料を、スプレーガン、ローラーまたは刷毛を用いて塗布した後乾燥させて、０．６〜１．０ｍｍ厚の断熱層を形成することを特徴とする。
なお、マンホール蓋の裏面に形成する断熱層の厚さは、０．６〜１．０ｍｍであることが好ましく、特に、０．８ｍｍ程度が最適である。断熱層の厚さが０．６ｍｍ未満では、所定の断熱及び防音機能を得ることは困難であり、また、断熱層の厚さが１．０ｍｍを超えると、所定以上の断熱及び防音機能を得ることができるが、コスト高となり経済性に劣るものとなる。
また、断熱層は、マンホール蓋の裏面平坦部のみに形成してもよいが、マンホール蓋の裏面全体に形成するほうが断熱及び防音機能が向上する。さらに、断熱塗料は、マンホール蓋の裏面だけでなく、口環、高さ調整リング、斜壁部、或は、直壁部に塗布してマンホールの上部構造体の内面に塗布して断熱層を形成することもできる。
【発明の効果】
【０００５】
以上説明したように、請求項１及び２に記載のマンホール蓋に係る発明によれば、マンホール蓋の裏面に断熱塗料を塗布して断熱層を形成するだけで、従来の断熱機能を備えたマンホール蓋と同等のマンホール蓋を構成することができる。また、マンホール蓋の裏面に断熱塗料を塗布して断熱層を形成することにより、防音性の優れたマンホール蓋を構成することができる。
また、請求項３に記載のマンホール蓋の断熱層形成方法に係る発明によれば、マンホール蓋の裏面に、スプレーガン、ローラー、または刷毛を用いて断熱塗料を塗布するだけで、従来の断熱機能を備えたマンホール蓋と同等のマンホール蓋を簡単に製造することができるので、断熱機能を備えたマンホール蓋の製造が容易となる。
【発明を実施するための最良の形態】
【０００６】
本発明の実施の形態に係るマンホール蓋を、図１及び図２に基づいて説明する。
マンホール１は、下水配管などを接続したマンホール下部構造体（図示省略）の上方に、下方から直壁部３及び斜壁部２の順に配置され、斜壁部２の上方に、マンホール蓋８を載置する口環５が調整リング４を介して配置されている。調整リング４は、マンホール蓋８の表面を地面ＧＬに合わせて調整するために使用するものであり、調整ボルト６を利用して口環５の高さを適宜高さに調整した後に、調整リング４と口環５との間にモルタル７を充填して、マンホール蓋８の上面を、地面ＧＬの高さに一致させる。また、直壁部３及び斜壁部２の内壁面には、作業員がマンホール１内に出入りする際に使用する足掛け金具９が取り付けられている。
【０００７】
図２（Ａ）及び（Ｂ）に示すように、マンホール蓋８は鋳鉄製或は鉄筋コンクリート製であり、マンホール蓋８の裏面には、補強用のリブ１０及び外周フランジ１０Ａがマンホール蓋８と一体に形成されている。
そして、本発明の実施の形態では、マンホール蓋８の裏面全体に後述する断熱塗料からなる断熱層１１が塗布形成されている。マンホール蓋８の裏面全体に断熱塗料を塗布する場合、適宜の手段で断熱塗料を塗布することができるが、スプレーガン、ローラー、刷毛など適宜の手段を利用して塗布することができる。ここで、マンホール蓋８の裏面全体とは、マンホール蓋８の裏面平坦部８Ａ、リブ１０及びマンホール蓋８の外周に形成した外周フランジ１０Ａの内面をいう。
【０００８】
断熱塗料は、シスタコート（登録商標）として、株式会社日進産業が製造販売している断熱塗料であり、この断熱塗料は、水溶性アクリル樹脂に、粒径が２０〜４０μｍの中空のセラミックビーズと、粒径が１０μｍのセラミックパウダーなどを混在させた塗料である。そして、断熱塗料として、シスタコート（登録商標）をマンホール蓋８の裏面全体に塗布して乾燥させると、図２（Ｂ）に示すように、セラミックビーズ１３とセラミックパウダー１４が、塗装面の表面に集まり断熱層１１を形成する。そして、この断熱層１１は、断熱塗料を構成するセラミックビーズ１３とセラミックパウダー１４などの各成分が、乾燥状態で図２（Ｂ）に示すように配層されることにより、保護層、防水層、或は、防音層として機能する。
なお、シスタコート（登録商標）は、熱伝導率が０．０３〜０．０５Ｗ／（ｍ・Ｋ）であり、塗布厚さ１．０ｍｍの断熱層を形成した場合、約１００ｍｍ厚さ相当の発泡スチロールの断熱層と同等の断熱機能を備えている。また、シスタコート（登録商標）は、塗布厚さ１．０ｍｍの断熱層を形成した場合、断熱層を形成しない場合に比べて、伝達する音の大きさを約１０ｄＢ低下させる。
【０００９】
次に、マンホール蓋の裏面に断熱層を形成する方法について説明する。
まず、鋳鉄製のマンホール蓋８を用意し、マンホール蓋８の裏面全体（裏面平坦部８Ａ、リブ１０及び外周フランジ１０Ａの内面）の錆、汚れなどを落したあと、マンホール蓋８の裏面を作業者側に向けてマンホール蓋８を所定の作業台に載置する。
その後、図示しないスプレーガンを用いて、断熱塗料〔株式会社日進産業が製造販売しているシスタコート（登録商標）〕を、マンホール蓋８の裏面全体に吹き付けて塗布する。この場合、１回の塗布作業で、約０．４ｍｍの塗布厚さとなるように、スプレーガンの塗料吐出量を調整しておく。そして、スプレーガンによる断熱塗料の塗布作業を２回行うことにより、約０．８ｍｍの塗布厚さの断熱塗料をマンホール蓋８の裏面全体に塗布する。
その後、断熱塗料が乾燥すると、マンホール蓋８の裏面全体に、厚さが約０．８ｍｍの断熱層１１が形成される。
【図面の簡単な説明】
【００１０】
【図１】本発明の実施の形態に係るマンホール蓋を装着したマンホールの断面図である。
【図２】図２（Ａ）は、断熱層を形成したマンホール蓋の断面図であり、図２（Ｂ）は、マンホール蓋の裏面に断熱塗料を塗布して形成した断熱層の拡大断面図である。
【符号の説明】
【００１１】
１  マンホール、２  斜壁部、３  直壁部、４  調整リング、５  口環、６  調整ボルト、７  モルタル、８  マンホール蓋、８Ａ  裏面平坦部、９  足掛け金具、１０  リブ、１０Ａ  外周フランジ、１１  断熱層、１２  樹脂、１３  セラミックビーズ、１４  セラミックパウダー。
【図１】
2005256541.tif 000003
【図２】
2005256541.tif 000004